(57)【要約】【課題】被照明物をその前面から照らすことによって、透光性のない材質による商品ダミーや価格銘板等の表示部材であっても通常使用されている蛍光灯の使用によって、展示物や価格表示を夜間でも明瞭に視認できることができるようにした自動販売機を提供する。【解決手段】本体前面部のダミー陳列棚４に載置した商品ダミー５と、この商品ダミーを保持する少なくとも一部に導光性透明部を形成したダミーホルダー15と、このダミーホルダーの近傍に設けた商品表示部材26と、前記ダミーホルダーの裏側部位に配置した照明灯27とからなり、前記照明灯の光をダミーホルダーの導光性透明部を介して、商品ダミーあるいは商品表示部材の少なくとも一方の前方側22、23から商品ダミーあるいは商品表示部材に向かって照射させるようにしたことを特徴とする。【選択図】図３
2007334489.tif 000002
【特許請求の範囲】
【請求項１】
本体前面部のダミー陳列棚に載置した商品ダミーと、この商品ダミーを保持する少なくとも一部に導光性透明部を形成したダミーホルダーと、このダミーホルダーの近傍に設けた商品表示部材と、前記ダミーホルダーの裏側部位に配置した照明灯とからなり、前記照明灯の光をダミーホルダーの導光性透明部を介して、商品ダミーあるいは商品表示部材の少なくとも一方の前方側から商品ダミーあるいは商品表示部材に向かって照射させるようにしたことを特徴とする自動販売機。
【請求項２】
照明灯の光を導入する受光部をダミーホルダーの裏面側に設け、導光性透明部から前方に導いて前壁面で反射させることにより後方への光導出をおこなうようにしたことを特徴とする請求項１記載の自動販売機。
【請求項３】
照明灯を蛍光灯として商品ダミーの下方あるいは商品表示部材の後方から照射した光を所定肉厚を有するダミーホルダーの底部から導入し、前壁面で反射させて上方の傾斜面部から後方の商品ダミーあるいは商品表示部材の前面部に向けて照射させることを特徴とする請求項１記載の自動販売機。
【請求項４】
ダミーホルダーにおける商品ダミー抱持部の前部に表示部材の保持部を形成し、この表示部材保持部の前壁上端から商品表示部材に向けて光照射させたことを特徴とする請求項２記載の自動販売機。
【請求項５】
ダミーホルダー前面壁にはシボ加工を施して光反射させることを特徴とする請求項２記載の自動販売機。
【発明の詳細な説明】
【技術分野】
【０００１】
本発明は、たばこ等の自動販売機、特にその前面部に陳列される商品ダミー展示部構成に関する。
【背景技術】
【０００２】
従来の自動販売機、例えば、たばこ等の自動販売機はその本体前面部に展示用の商品ダミーを陳列する陳列棚を備え、この陳列棚部に設けた蛍光灯等の光源により商品ダミーを照明する構成であった。
【０００３】
これらの構成は、図５に示すように、ダミーである商品サンプル（55）とサンプル台（65）との間に面状発光体（61）を配置させたり、サンプル台自体が面状発光体をなすように透明材料の導光板で形成させて白色ＬＥＤ等の光源からの光で商品サンプル（55）部分のみを明るく照らすようにしたもの（特許文献１参照）であり、また、図６に示すように、蛍光灯（77）からの光で商品見本（75）や表示部材である説明板（76）を直接照明するとともに、透光性に優れたライトガイド（71）の一端を光源に対向させ、他端から光を出射させて対象物を照明するようにした構成（特許文献２参照）であった。
【特許文献１】特開２００５−２８５０２９号公報
【特許文献２】特開２００６−４８２７６号公報
【発明の開示】
【発明が解決しようとする課題】
【０００４】
しかしながら、上記構成ではいずれの場合も、表示部材である価格銘板（66）や説明板（76）は後方からの照明となり、利用者側からは逆光となって夜間等の暗闇状態では表示価格が読みづらいものであった。また、これを読みやすくするためには、通常紙製である価格銘板（66）や説明板（76）を樹脂フィルム等の透光性材料を使用して後方からの光が透過するようにすればよいが、部品コストとして高価になる欠点があった。
【０００５】
本発明は上記点を考慮してなされたもので、被照明物をその前面から照らすことによって、透光性のない材質による商品ダミーや価格銘板等の表示部材であっても通常使用されている蛍光灯の使用によって、展示物や価格表示を夜間でも明瞭に視認できることができるようにした自動販売機を提供することを目的とする。
【課題を解決するための手段】
【０００６】
上記課題を解決するため、本発明による自動販売機は、本体前面部のダミー陳列棚に載置した商品ダミーと、この商品ダミーを保持する少なくとも一部に導光性透明部を形成したダミーホルダーと、このダミーホルダーの近傍に設けた商品表示部材と、前記ダミーホルダーの裏側部位に配置した照明灯とからなり、前記照明灯の光をダミーホルダーの導光性透明部を介して、商品ダミーあるいは商品表示部材の少なくとも一方の前方側から商品ダミーあるいは商品表示部材に向かって照射させるようにしたことを特徴とするものである。
【発明の効果】
【０００７】
本発明によれば、展示物や価格表示等被照明物をその前面から照らすことができるため、夜間等暗闇でも良好に視認識別ができるとともに、被照明物を紙等の安価な材質のもので形成でき、コストを低減できる利点がある。
【発明を実施するための最良の形態】
【０００８】
以下、本発明の１実施形態をたばこ自動販売機の例について説明する。図１にその概略斜視図を示す自動販売機（１）には、販売商品である多数のたばこを収納している本体（２）の前面ドア（３）の内部に、展示用として販売対象である複数種類の商品ダミー（５）を上下複数段に配列した陳列棚（４）を設けている。そして、その前面を透明な樹脂製パネルで形成した前面カバー（６）で覆い、ドア前面の一部、本実施例においては右側部に、紙幣や硬貨の投入口（７）、（８）や投入された金額の表示器（９）、下方には商品取出口（10）や硬貨返却口（11）を設けており、前記陳列棚（４）には、各商品ダミー（５）に対応してその下方に、貨幣が投入された際に対応商品が販売可能か売り切れかをランプ表示し、且つ選択のための押しボタン（12）を配置している。
【０００９】
前記個々の商品ダミー（５）は、対象がタバコであることから箱形をなし、図柄が印刷された紙や樹脂シートで形成されている。この商品ダミー（５）は、図２に拡大した斜視図、図３にその縦断面図を示すように、前面ドア（３）の背板（３ａ）の適宜の箇所に、図示しない係止フック等との係合によって着脱自在に取り付けられるダミーホルダー（15）の背壁部（16）と、その前方に間隔を形成して低い高さに立設した前ガード（17）とによってその下部の前後を抱持し、且つ外面意匠を明瞭に展示するようにして保持されている。
【００１０】
ダミーホルダー（15）は、透明で導光性の高いアクリル樹脂等の透明樹脂成形体であって、所定個数の商品ダミー（５）を保持できるように横幅方向に広く一体成形されており、各商品ダミー（５）間は仕切り部材で区分することで各ダミー（５）を均等な間隔で配列できるように形成している。
【００１１】
前記前ガード（17）の下方は商品ダミー（５）の設置底部から段部（18）を形成するようにさらに下方向に延出させ、延出させた底部の前面には、前記段部（18）との間に商品ダミー（５）の横幅寸法にほぼ合致する溝部（19）を幅方向に亙って形成するように前壁面を形成する前板（20）を一体に立設している。
【００１２】
したがって、この前板（20）も導光性を有して透明に形成されており、図４に拡大状態を示すように、その前面から底面に亙っては外表面を微細なダイヤカットやシボ加工により凹凸面Ａ（21）を施すとともに、その上部においては奥行き方向の厚み部分を切欠して前部上方向に傾斜する照射面Ａ（22）を形成している。また、前記前ガード（17）の上端にも、前記前板（20）と同様に  厚み部分を前部上方に傾斜させた照射面Ｂ（23）を形成し、その前部から底部に至る外面には前記同様のダイヤカットやシボ加工で凹凸面Ｂ（24）を施している。
【００１３】
前記前ガード（17）と背壁部（16）と間には、上方から商品ダミー（５）を挿入し、弾性押圧片（25）で係止して保持し、前ガード（17）と前板（20）間の溝部（19）には、商品の価格や宣伝等の商品情報を記したシート片からなり、商品表示部材を構成する銘板（26）を挿入して着脱可能に保持する。
【００１４】
（27）は、陳列棚（４）に上下複数段に亙って配列されたダミーホルダー（15）の各列の後方下部に、それぞれ幅方向に亙って設置した蛍光灯等の照明体であり、自動販売機本体（１）が屋外に設置されている場合の夜間や、建家内の照明の暗い場所に設置されている場合に点灯し、各商品ダミー（５）を照明して販売を促進するように作用する。
【００１５】
照明体（27）は、ダミーホルダー（15）の前記前板（20）および前ガード（17）の導光部に対応する後方部に設置されており、点灯時には、下方に配置した商品ダミー（５′）を直接照明するとともに、上方前部に位置するダミーホルダー（15）に対しては、光がそれぞれ矢印のようにダミーホルダー（15）の裏面側の受光部（28）から進入して導光性の材厚内を進行し、前板（20）や前ガード（17）の前壁面部で反射して拡散するように配置構成されている。
【００１６】
しかして、前記照明体（27）の点灯時には、下方に位置する商品ダミー（５′）に対してはその上方から光を直接照射してこれを照明するものであるが、一方、前記照明体（27）の前方への光は、前方にあるダミーホルダー（15）の導光性の透明部に導入され、透過して前板（20）の前面部に至り、前部外面にダイヤカットが施された凹凸面Ａ（21）によって反射拡散し、前板（20）の上部に導光して上端の傾斜している照射面Ａ（22）によって斜め上方に射出し、射出方向に配置された銘板（26）の表面を前方から照明するように作用するものである。
【００１７】
また、ダミーホルダー（15）の上方への照明体（27）の光は、商品ダミー（５）を載置している底部から前ガード（17）内に入射して上方へ指向し、凹凸面Ｂ（23）により反射拡散して前ガード（17）上端の傾斜させた照射面Ｂ（23）から外方に射出して商品ダミー（５）を前方から照明するように作用する。
【００１８】
前述した構成により、銘板（26）や商品ダミー（５）は、照明体（27）の点灯時には、常にその前面側から照明されることになるため、従来の後方から照明した場合のように、利用者側からは逆光となって、例えば、表示価格が読みづらくなる不具合を除くことができる。また、銘板や商品ダミー等のディスプレー体に透光性のない安価な紙シートや樹脂フィルムを使用しても前面から充分に照明することができ、表示価格等を明確に視認することで利用者に対して効果的に商品購入を促すことができる。
【００１９】
なお、前記実施例においては、ダミーホルダー（15）は、その全体を導光性の透明樹脂で形成したが、これに限らず、前板（20）や前ガード（17）に対向する部分のみを光導入部として導光性の透明体で形成し、これを別成形部品のホルダー部材と結合させるようにしてもよく、さらに、前記実施例の場合、商品ダミー（５）は上部に位置する照明体（27）から直接照明できることから、前ガード（17）の照射面Ｂ（23）からは照明しない構成とし、導光性のダミーホルダー（15）を介しての照明は、前板（20）の照射面Ａ（22）から銘板（26）のみに照射するようにしてもよい。
【００２０】
また、上記実施例については、照明体（27）を蛍光灯として、ダミーホルダー（15）の下部後方に配置する構成としたが、本発明はこれに限るものではなく、照明体（27）としては電球や発光ダイオード（ＬＥＤ）等を使用したり、有色光による光照射や点滅させるようにしてもよく、ダミーホルダー（15）に対する照明体（27）の配設位置についても、前記実施例のように後方下部への配置に限らず、ダミーホルダー（15）の上部や側方からの照明でもよいものであり、複数個の照明体により、ダミーホルダー（15）の導光性透明部を介してディスプレー部材の前方に向かって光を照射させるようにしてもよい。
【００２１】
さらにまた、上記実施例としては、たばこの自動販売機を実施例として説明したが、本発明はこれに限るものではなく、飲料販売機その他の種々の自動販売機のディスプレー照明構成に適用できることは言うまでもない。
【図面の簡単な説明】
【００２２】
【図１】本発明の１実施形態を示すたばこ自動販売機の外観斜視図である。
【図２】図１における商品ダミー陳列部を示す斜視図である。
【図３】図２の縦断面図である。
【図４】図３の要部を示す拡大断面図である。
【図５】従来例を示す図３と同一部分の縦断面図である。
【図６】他の従来例を示す商品ダミー陳列部の縦断面図である。
【符号の説明】
【００２３】
１ 自動販売機
４ 陳列棚
５ 商品ダミー
15 ダミーホルダー
16 背壁部
17 前ガード
18 段部
19 溝部
20  前板
21、24  凹凸面
22、23  照射面
26  銘板
27  照明体
28  受光部
【図１】
2007334489.tif 000003
【図２】
2007334489.tif 000004
【図３】
2007334489.tif 000005
【図４】
2007334489.tif 000006
【図５】
2007334489.tif 000007
【図６】
2007334489.tif 000008